(57)【要約】      （修正有）【課題】使用時の感触が良好で断熱効果を有すると共に、芸術的色彩を呈させ、独特な品格を具える食器の構造を提供する。【解決手段】鉄製金属で鋳造された碗類、皿類及びカップ類等の食器１０の金属本体２０外部表面に黒色炭化表層２０１を設け、内部に収容空間５０を有し、外部表面に複数のストリップ状凹弧溝３０を凹設し、食器に独特の造型設計風格をもたせ、掴持安定性を向上して脱落し難くし、且つストリップ状凹弧溝は、食器の外部表面上に縦方向環設配列を呈し、手部が食器の表面全体に直接貼付することがなく、断熱効果を達成する。食器の金属本体内表面を研磨した後、銅質層を内表面に電気鍍金し、更に、銅質層表面に黄金色の鍍金層２２を電気鍍金し、食器内表面の黄金色と外部表面の黒色とにより芸術色彩対比を形成させ、食器の品位及び価値観を向上させる。【選択図】図１
0003195483.tif 000002
【実用新案登録請求の範囲】
【請求項１】
食器の構造であって、該食器の金属本体の内部に収容空間を有し、金属本体の外部表面上に複数のストリップ状凹弧溝を凹設し、且つ金属本体の外部表面上に黒色炭化表層を有する層状構造を設置する食器の構造。
【請求項２】
食器の構造であって、該食器の金属本体の内部に収容空間を有し、金属本体の外部表面上に複数のストリップ状凹弧溝を凹設し、且つ金属本体の外部表面上に黒色炭化表層を有する層状構造を設置し、
そのうち、金属本体内部表面に滑らかな表面を有し、該滑らかな表面上に銅質層状構造を有する銅質層を電気鍍金し、
該銅質層表面上に更に、黄金色の鍍金層を電気鍍金し、
食器内部表面の黄金色の鍍金層及び食器外部表面の黒色炭化表層に強烈な色彩対比を形成させ、食器の高級感及び品質を向上させる食器の構造。
【請求項３】
前記食器は、収容空間を有する碗類、皿類又はカップ類の何れかである請求項１又は請求項２に記載の食器の構造。
【請求項４】
前記食器底部に文字を設ける請求項１又は請求項２に記載の食器の構造。
【請求項５】
前記食器底部にパターンを設ける請求項１又は請求項２に記載の食器の構造。
【請求項６】
前記ストリップ状凹弧溝は、食器の外部表面上に縦方向環設配列を呈する請求項１又は請求項２に記載の食器の構造。
【請求項７】
前記ストリップ状凹弧溝の上縁は、幾何形状に設置される請求項１又は請求項２に記載の食器の構造。
【請求項８】
前記幾何形状は、半円弧状、三角形状、半方形状又は半辺幾何形状の何れかである請求項７に記載の食器の構造。
【請求項９】
前記ストリップ状凹弧溝の下縁は、幾何形状に設けられる請求項１又は請求項２に記載の食器の構造。
【請求項１０】
前記幾何形状は、半円弧状、三角形状、半方形状又は半辺幾何形状の何れかである請求項９に記載の食器の構造。
【考案の詳細な説明】
【技術分野】
【０００１】
本考案は、食器の構造に関し、特に、各種食器の外部表面に複数の縦方向に配列されるストリップ状凹弧溝を凹設するが、使用時の感触が良好で断熱効果を有し、食器の実用性を確実に向上するだけでなく、更に、その外部表面に更に光沢のある黒色炭化表層を設置し、内部表面に銅質層を電気鍍金した後、更に黄金色の鍍金層を電気鍍金し、食器内外表面に黄金色及び炭化黒色の強烈な対比の芸術的色彩を呈させ、品質を向上し、独特な品格を具える食器の構造に関する。
【背景技術】
【０００２】
経済社会の進歩及び発達に伴い、人々は、益々生活品質及び趣きを重視するようになり、毎日使用する必要がある食器に対する要求も益々研究され、機能上の実用性だけでなく、更に外観色彩対比の視覚的美感が追求され、更には、室内住宅環境の内装設計、家具及び全体的式調と相互に映え、温かくロマンチックな雰囲気を付加し、多様な生活情緒の変化及び表現の異なる個人の風格に合わせることができることが求められ、従って、食器は、食事を取り分ける、盛り付けることに用いるだけでなく、多くの人が自己の住居環境の雰囲気に適した食器を選択し、自己の身分地位に適合し、独特な個性風格及びすることを希望し、審美な品位を表現し、食事の心情を増進させ、食欲を増加させることを希望している。しかしながら、従来の各種食器は、色彩が単調であるだけでなく、使用者の風格を表現することができず、例えば、碗類、皿類及びカップ類の外部表面及び内側表面の色は、何れも平凡で面白みのない白色であり、色彩対比の視覚的美感に欠き、更に独特のファッション感覚を語ることはできず、且つ住居室内の内装生活環境とマッチすることができず、室内生活環境の視覚的協調の無さを招く。陶器食器製品を使用する場合、割れ易いだけでなく、クラックが生じ、その外表の鮮やかさを要求する場合、釉薬を塗布する必要があり、釉薬は、食器に基準に適合せず、有毒な鉛を含有させ、人体に深刻な危害を及ぼし、人々が常用するプラスチック食器は、色彩が鮮やかさであれば、色彩パターン中のプラスチック中に鉛、カドミウム等の重金属の有害物質を混在している。以上の欠陥は、従来の食器、碗類、皿類及びカップ類が突破できない長期的欠陥である。これに鑑み、使用時の感触が良好で断熱効果を有し、自然な華やかさ、質感を有し、洗浄が容易で、灰塵を付着させ難く、且つ耐久性がよく、割れ難く、色彩対比が鮮明である食器を開発し、高級な芸術感を有し、レトロな風格を兼ね備え、住居室内の内装生活環境に合わせることができ、使用者の独特で高尚な身分地位及びユニークで特異な個性風格を表現することは、碗類、皿類及びカップ類等の食器の関連業者が研究開発を欲する技術及び課題となっている。
【先行技術文献】
【特許文献】
【０００３】
【特許文献１】特開２００２−１１９４０４号公報
【考案の概要】
【考案が解決しようとする課題】
【０００４】
本考案者は、前記従来の食器が使用上及び効果方面において、依然として多くの問題を突破できないことに鑑み、積極的に研究開発、考案に着手し、長年本業界に従事した専業経験及び心得により本願の考案を考案している。
【０００５】
本考案の目的は、碗類、皿類及びカップ類等の食器の金属本体外部表面に縦方向配列を呈する複数のストリップ状凹弧溝を凹設し、使用時に手部の感触を向上させ、掴持安定性を増加させて脱落し難く、且つ食器を握る時、縦方向配列を呈する複数のストリップ状凹弧溝により、手部が直接食器全体表面に貼付せず、断熱の特殊効果を有し、食器の実用性を確実に達成し、金属本体外部表面に黒色炭化表層状を有する構造を設置し、食器全体の独特の造形設計及び視覚美感を向上させることができるだけでなく、更に、食器のレトロ芸術の高級な品位を向上させることができる食器の構造を提供することにある。
【０００６】
本考案のもう１つの目的は、碗類、皿類及びカップ類等の食器の金属本体内部表面を研磨し、銅質層状の銅質層を金属本体内部表面上に電気鍍金し、更に、銅質層表面上に黄金色の鍍金層を電気鍍金し、食器内部表面の光沢が鮮やかな黄金色鍍金層とその外部表面の黒色の炭化表面層に強烈な芸術色彩対比を形成させ、質感が良好で、耐久性があり、環境保護効果を兼ね備えるだけでなく、使用時に毒性が全くなく、食器の品質を確実に向上させ、その金属本体外部表面の炭化した自然な黒色及び内部表面に電気鍍金された鮮やかな黄金色が鮮やかな色彩の強烈な対比の視覚美感を表現し、食器のレトロ芸術及びファッションスタイルの二重の価値を向上させる食器の構造を提供することにある。
【課題を解決するための手段】
【０００７】
本考案の食器の構造は、該食器の金属本体の内部に収容空間を有し、金属本体の外部表面上に複数のストリップ状凹弧溝を凹設し、且つ金属本体の外部表面上に黒色炭化表層を有する層状構造を設置する。
【０００８】
本考案の食器の構造は、該食器の金属本体の内部に収容空間を有し、金属本体の外部表面上に複数のストリップ状凹弧溝を凹設し、且つ金属本体の外部表面上に黒色炭化表層を有する層状構造を設置し、そのうち、金属本体内部表面に滑らかな表面を有し、該滑らかな表面上に銅質層状構造を有する銅質層を電気鍍金し、該銅質層表面上に更に、黄金色の鍍金層を電気鍍金し、食器内部表面の黄金色の鍍金層及び食器外部表面の黒色炭化表層に強烈な色彩対比を形成させ、食器の高級感及び品質を向上させる。
【考案の効果】
【０００９】
本考案の食器の構造は、鉄製金属で鋳造された碗類、皿類及びカップ類等の食器の金属本体外部表面に黒色炭化表層を設け、内部に収容空間を有し、食物又は飲料を盛り付けさせることができ、その外部表面に複数のストリップ状凹弧溝を凹設し、食器に独特の造型設計風格をもたせ、使用時手部の掴持感を増加し、掴持安定性を向上して脱落し難くし、且つ該ストリップ状凹弧溝は、食器の外部表面上に縦方向環設配列を呈し、使用者に掴持させる時、手部が食器の表面全体に直接貼付することがなく、断熱の特殊効果を達成する。該食器の金属本体内表面を研磨した後、銅質層を該内表面に電気鍍金し、更に、銅質層表面に黄金色の鍍金層に電気鍍金し、食器内表面の黄金色及び其の外部表面の黒色炭化表層に強烈な芸術色彩対比を形成させ、食器の品位及び価値観を向上させる。
【図面の簡単な説明】
【００１０】
【図１】本考案の好適実施例の立体説明図（一）である。
【図２】本考案の好適実施例の立体説明図（二）である。
【図３】本考案の好適実施例の立体説明図（三）である。
【図４】本考案の好適実施例の立体説明図（四）である。
【図５】本考案の好適実施例の局部断面側面図である。
【図６】本考案の好適実施例の局部正面図（一）である。
【図７】本考案の好適実施例の局部正面図（二）である。
【図８】本考案の好適実施例の局部正面図（三）である。
【図９】本考案の好適実施例の断面説明図である。
【図１０】本考案の好適実施例のフローブロック説明図である。
【考案を実施するための形態】
【００１１】
本考案の構造、特徴及び効果を分かり易くする為、好適実施例を挙げ、図面を合わせて以下に詳細を説明する。
【００１２】
図１、図２、図３及び図４に示すように、本考案の碗類１１、皿類１２及びカップ類１３等の食器１０の金属本体２０は、鉄製金属材料により鋳造され、該金属本体２０内部は、収容空間５０を有し、食物又は飲料を盛り付けさせることができ、その外部表面２００は、複数のストリップ状の凹弧溝３０を凹設した構造であり、該ストリップ状凹弧溝３０は、湾類１１、皿類１２及びカップ１３等食器１０の外部表面２００上に縦方向環設配列を呈し、本考案の食器１０に独特の造型設計風格及び視覚的美感をもたせ、使用時に手部の掴持感触を増加させ、掴持安定性を向上し、脱落し難く、且つ食器１０外部表面２００の複数のストリップ状凹弧溝３０は、縦方向環設配列を呈する構造であり、従って、間隔をおいた隙間を形成し、使用者に掴持させる時、手部が食器１０の全体表面に直接貼付することがなく、各熱の特殊効果を達成する。本考案に記載される食器１０は、碗類１１、皿類１２及びカップ類１３等の各種異なるタイプの食器１０を含む。該食器１０の底部６０は、必要に応じて直接成型、プリント、スクライビング又はペースト等の各種方式必要な文字又はパターン６１を設置することができ、ギフト又は各種商業行為の特定ロゴ又はその他の識別等の用途を提供することができる。
【００１３】
図５、図６、図７及び図８に示すように、本考案の前記金属本体２０の外部表面２００に凹設されるストリップ状凹弧溝３０は、図５に示すように、適当な深さを有し、且つ凹弧溝３００状を呈する。図６に示すように、該ストリップ状凹弧溝３０の上縁３１及び下縁３２は、必要に応じて幾何形状７０に設けることができ、例えば、半円弧状７１、又は図７に示すような半三角形状７２の幾何形状７０に設けることができ、図８に示すような半方形状７３の幾何形状７０に設けることもでき、更に歯、ストリップ状凹弧溝３０の上縁３１及び下縁３２をその他の各種半辺の幾何形状７０に設けることもでき、本考案の前記食器１０の独特の造型設計の多様化及び視覚美感を増加させる。
【００１４】
図９及び図１０に示すように、本考案の食器１０の金属本体２０は、鉄製金属材質より鋳造される異なるタイプの碗類１１、皿類１２及びカップ１３であり、本考案の好適実施例のフローブロック説明図の通り、主に以下の製造方法及びステップを含む。
ステップＳ１：金属鋳造する；金属材質で鋳造する方式で碗類１１、皿類１２及びカップ類１３等の各種異なるタイプの食器１０の金属本体２０を成型する；
ステップＳ２：酢酸酸化する；該鋳造成型した食器１０の金属本体２０を、酸性を有する酢酸液体内に浸し、その酢酸が金属本体２０の外部表面２００に酸化作用を発生させ、金属本体２０にステップＳ３において、食用油に浸す時に食用油が金属本体２０に付着する付着度を増加させる；
ステップＳ３：食用油に浸す；酢酸酸液に浸した後、外部表面２００に酸化作用を発生した金属本体２０を食用油内に浸し、食用油を金属本体２０の外部表面２００上に付着させる；
ステップＳ４：加熱する；ステップＳ３の食用油に浸す製造過程を経た後、該金属本体２０の外部表面２００は、一層の食用油が付着しており、更に、恒温約２２０℃〜２８０℃の高温で金属本体２０の外部表面２００に対して直接ロースト加熱し、金属本体２０の外部表面２００に付着した食用油を燃焼させ、炭化効果を発生させる；
ステップＳ５：炭化付着する；食用油を付着した金属本体２０の外部表面２００にステップＳ４を経て恒温２２０℃〜２８０℃の温度で直接加熱し、食用油を燃焼させた後に炭化効果を達成し、金属本体２０の外部表面２００上に一層の黒色炭化表層２０１を付着設置する；
ステップＳ６：食用油を均一に塗布する；食用油を浸した布料により食用油を金属本体２０の外部表面２００上に均一に塗布する；
ステップＳ７：再加熱する；ステップＳ６を経て、食用油を布料により金属本体２０    の外部表面２００上に均一に塗布した後、恒温２２０℃〜２８０℃の高温で金属本体２０の外部表面２００を直接再加熱する；
ステップＳ８：再炭化付着する；ステップＳ７を経て恒温２２０℃〜２８０℃の温度で金属本体２０の外部表面２００を直接再加熱した後、その外部表面２００の食用油が燃焼し、どうお湯に炭化効果を発生し、一層の黒色炭化層を金属本体２０に更に付着設置し、金属本体２０の外部表面２００の黒色炭化表層２０１の色を更に深く濃く鮮やかにさせる；
ステップＳ９：冷却する；２回の加熱及び炭化を経た後、外部表面２００上に黒色炭化表層２０１を付着した金属本体２０を常温の液体水中に浸して冷却し、以上のように、金属本体２０に鮮やかな黒色炭化を有する美しい外層を付着設置する方法及びステップを完成する。
【００１５】
本考案は、更に以下の製造過程の方法及びステップを含み、金属本体２０の内部表面を研磨し、その内部表面に滑らかな表面をもたせ、該滑らかな表面上に銅質材料の層状構造を有する銅質層２１を電気鍍金し、金属本体２０内部表面の銅質層２１表面上に黄金色の鍍金層２２を電気鍍金し、該鍍金層２２は、質感が滑らかで洗浄が容易で且つ灰塵を付着させ難くなるようにする。この時、本考案の食器１０内部表面の鍍金層２２の小金色及びその外部表面２００の鮮やかな黒の炭化表層２０１の色に強烈な超芸術色彩対比を形成させ、実用性を有し、品質が良好であるだけでなく、食器１０のレトロな風格及び高級な品位の独特な視覚美感を向上させ、食器１０の高級品位及び利用価値を増加させる。
【００１６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１７】
１０  食器
１１  碗類
１２  皿類
１３  カップ類
２０  金属本体
２００  外部表面
２０１  炭化表層
２１  銅質層
２２  鍍金層
３０  ストリップ状凹弧溝
３００  凹弧溝
３１  上縁
３２  下縁
５０  収容空間
６０  底部
６１  文字又は図形
７０  幾何形状
７１  半円弧状
７２  半三角形状
７３  半方形状
Ｓ１  金属鋳造
Ｓ２  酢酸酸化
Ｓ３  食用油浸
Ｓ４  加熱
Ｓ５  炭化付着
Ｓ６  食用油塗布
Ｓ７  再加熱
Ｓ８  再炭化付着
Ｓ９  冷却
【図１】
0003195483.tif 000003
【図２】
0003195483.tif 000004
【図３】
0003195483.tif 000005
【図４】
0003195483.tif 000006
【図５】
0003195483.tif 000007
【図６】
0003195483.tif 000008
【図７】
0003195483.tif 000009
【図８】
0003195483.tif 000010
【図９】
0003195483.tif 000011
【図１０】
0003195483.tif 000012